(57)【要約】【課題】この発明は簡単な構造で利用者の頭部及び脚部を持ち上げることができるようにしたマットレス装置を提供することにある。【解決手段】長手方向の一端部の上面に頭部を位置させ、長手方向の他端部の上面に脚部を位置させて利用者が利用するマットレス装置において、折り曲げ可能なスプリングユニット５と、このスプリングユニットの外周部の両側に一体的に設けられた直線的な固定かん状部材と、回動可能かつ所定の回動角度で保持可能に固定かん状部材の端部に取付けられたヒンジ機構１３と、このヒンジ機構に連結されて上記クッション体の頭部側の一端部と脚部側の他端部の外周部に一体的に設けられ上記ヒンジ機構によって回動上昇させることで上記クッション体の頭部側の一端部と脚部側の他端部を屈曲させる一対のほぼコ字状の可動かん状部材１２ａ，１２ｂと、上記クッション体を被覆した外装地とを具備する。【選択図】図４
2005168688.tif 000002
【特許請求の範囲】
【請求項１】
長手方向の一端部の上面に頭部を位置させ、他端部の上面に脚部を位置させて利用者が利用するマットレス装置において、
折り曲げ可能なクッション体と、
このクッション体の長さ寸法よりも短く形成され上記クッション体の幅方向両側に保持された一対の直線的な固定かん状部材と、
回動可能且つ所定の回動角度で保持可能に連結された一対の取付け部を有し、一方の取付け部が各固定かん状部材の両端部にそれぞれ取り付けられた複数のヒンジ機構と、
各ヒンジ機構の他方の取付け部に連結されるとともに上記上部クッション体の頭部側の一端部と脚部側の他端部との外周部に一体的に設けられ上記ヒンジ機構によって回動上昇させることで上記クッション体の頭部側の一端部と脚部側の他端部とをそれぞれ屈曲上昇させる一対のほぼコ字状の可動かん状部材と、
上記クッション体を被覆した外装地を具備したことを特徴とするマットレス装置。
【請求項２】
上記クッション体の上記一対のほぼコ字状の可動かん状部材によって上方に屈曲される頭部側の一端部と脚部側の他端部とは異なる長さ寸法に設定されており、脚部側の他端部の長さ寸法は頭部側の一端部の長さ寸法よりも大であることを特徴とする請求項１記載のマットレス装置。
【請求項３】
上記クッション体はスプリングユニットであって、上記固定かん状部材と上記一対のほぼコ字状の可動かん状部材とは、上記スプリングユニットの外周部に位置するばね体のコイル部に保持手段によって一体的に保持されていることを特徴とする請求項２記載のマットレス装置。
【請求項４】
上記保持手段は、上記スプリングユニットの下面若しくは上面に周辺部を上記スプリングユニットの周辺部から延出させて設けられた保持布であって、この保持布は周辺部が上記固定かん状部材及び一対のほぼコ字状の可動かん状部材に巻回されるとともに、その巻回部分が上記スプリングユニットの周辺部にクリップで連結されていることを特徴とする請求項３記載のマットレス装置。
【請求項５】
上記ヒンジ機構によって連結された固定パイプ部材と一対のほぼコ字状の可動かん状部材は、上記スプリングユニットの平面形状よりも小さな矩形枠状をなしていて、これらのかん状部材は上記スプリングユニットの周辺部に位置するばね体のコイル部の巻き線間に挿入保持されていることを特徴とする請求項４記載のマットレス装置。
【発明の詳細な説明】
【技術分野】
【０００１】
この発明はベッドなどに用いられるマットレス装置に関する。
【背景技術】
【０００２】
たとえば、ベッドに用いられるマットレス装置は矩形板状に形成されたスプリングユニットや発泡弾性体などのクッション体を有し、このクッション体を外装地で被覆して構成されている。
【０００３】
マットレス上面に仰臥した利用者は、仰臥した姿勢で読書したり、テレビを見ることがある。その場合、頭部を水平状態よりも、わずかにも持ち上げた状態の方が楽に読書をしたり、テレビを見ることができる。また、脚の疲れを緩和するときにはマットレスの脚に対応する部分を上方に上げると利用者に楽な感触を与える。
【０００４】
従来のマットレス装置では、利用者の頭部や脚部を上げた状態で保持するということができないから、利用者が頭部や脚部を上げるためには、枕の下や脚部対応位置に座布団を折り畳んで挟むということを行なっていた。しかしながら、そのようにして頭部や脚部を持ち上げるようにしたのでは安定性が悪いため、疲れ易いということがある。
【発明の開示】
【発明が解決しようとする課題】
【０００５】
マットレス装置が用いられるベッドには、マットレス装置を載置した床板を複数に分割し、利用者の上半身や下半身に対応する部分を起伏駆動できるようにした、いわゆる起床式ベッドが知られている。起床式ベッドによれば、床板の一部を起上させて、利用者の上半身や下半身を起こすことが可能である。
【０００６】
しかしながら、起床式ベッドの場合、床板の一部を起伏駆動するために駆動機構が必要となるから、この駆動機構をベッドに組み込むためには構成の複雑化やコスト上昇、さらにはベッドの大型化などを招くということがある。
【０００７】
この発明は、簡単な構造で少なくとも利用者の頭部と脚部を持ち上げることができるようにしたマットレス装置を提供することにある。
【課題を解決するための手段】
【０００８】
本発明は、長手方向の一端部の上面に頭部を位置させ、他端部の上面に脚部を位置させて利用者が利用するマットレス装置において、
折り曲げ可能なクッション体と、
このクッション体の長さ寸法よりも短く形成され上記クッション体の幅方向両側に保持された一対の直線的な固定かん状部材と、
回動可能且つ所定の回動角度で保持可能に連結された一対の取付け部を有し、一方の取付け部が各固定かん状部材の両端部にそれぞれ取り付けられた複数のヒンジ機構と、
各ヒンジ機構の他方の取付け部に連結されるとともに上記上部クッション体の頭部側の一端部と脚部側の他端部との外周部に一体的に設けられ上記ヒンジ機構によって回動上昇させることで上記クッション体の頭部側の一端部と脚部側の他端部とをそれぞれ屈曲上昇させる一対のほぼコ字状の可動かん状部材と、
上記クッション体を被覆した外装地を具備したことを特徴とするマットレス装置にある。
【０００９】
上記クッション体の上記一対のほぼコ字状の可動かん状部材によって上方に屈曲される頭部側の一端部と脚部側の他端部とは異なる長さ寸法に設定されており、脚部側の他端部の長さ寸法は頭部側の一端部よりも大であることが好ましい。
【００１０】
上記クッション体はスプリングユニットであって、上記固定かん状部材と上記一対のほぼコ字状の可動かん状部材とは、上記スプリングユニットの外周部に位置するばね体のコイル部に保持手段によって一体的に保持されていることが好ましい。
【００１１】
上記保持手段は、上記スプリングユニットの下面若しくは上面に周辺部を上記スプリングユニットの周辺部から延出させて設けられた保持布であって、この保持布は周辺部が上記固定かん状部材及び一対のほぼコ字状の可動かん状部材に巻回されるとともに、その巻回部分が上記スプリングユニットの周辺部にクリップで連結されていることが好ましい。
【００１２】
上記ヒンジ機構によって連結された固定パイプ部材と一対のほぼコ字状の可動かん状部材は、上記スプリングユニットの平面形状よりも小さな矩形枠状をなしていて、これらのかん状部材は上記スプリングユニットの周辺部に位置するばね体のコイル部の巻き線間に挿入保持されていることが好ましい。
【発明の効果】
【００１３】
この発明は、長手方向の一端部の上面に頭部を位置させ、他端部の上面に脚部を位置させて利用者が利用するマットレス装置において、
折り曲げ可能なクッション体と、
このクッション体の長さ寸法よりも短く形成され上記クッション体の幅方向両側に保持された一対の直線的な固定かん状部材と、
回動可能且つ所定の回動角度で保持可能に連結された一対の取付け部を有し、一方の取付け部が各固定かん状部材の両端部にそれぞれ取り付けられた複数のヒンジ機構と、
各ヒンジ機構の他方の取付け部に連結されるとともに上記上部クッション体の一端部と他端部との外周部に一体的に設けられ上記ヒンジ機構によって回動上昇させることで上記クッション体の頭部側の一端部と脚部側の他端部とをそれぞれ屈曲上昇させる一対のほぼコ字状の可動かん状部材と、
上記クッション体を被覆した外装地を具備したから利用者の頭部と脚部を簡易な作業で上げることができる。
また、脚部側の他端部１ｂの長さ寸法を頭部側１ａの一端部の長さ寸法よりも大にしたので利用者の脚部を長い寸法で楽に持ち上げて維持できる。
【発明を実施するための最良の形態】
【００１４】
以下、この発明の実施の形態を図面を参照して説明する。
【００１５】
以下図面を参照しながらこの発明の一実施の形態を説明する。図１乃至図６はこの発明の第１の実施の形態を示す。図１はマットレス装置１をベッド２の床板３上に載置した状態を示す斜視図であって、このマットレス装置１は上記ベッド２のヘッドボード４側に位置する頭部側の一端部１ａ及び脚部側の他端部１ｂを所定の角度で上昇させて保持することができるようになっている。
【００１６】
上記マットレス装置１は、図２に示すようにクッション体としてのスプリングユニット５を有する。このスプリングユニット５は同図と図４（ａ）〜（ｃ）に示すように鼓形状をなした多数のコイルスプリング６を行列状に配置することで、矩形板状をなしている。
【００１７】
スプリングユニット５の長手方向に沿って隣り合うコイルスプリング６は幅方向に沿って設けられたヘリカル線７によって上端面と下端面とが連結されている。なお、図４（ａ）では上端面を連結したヘリカル線７だけを示している。
【００１８】
上記スプリングユニット５の上下面の周縁部には枠線８が図示しないクリップによって取り付けられている。この枠線８はスプリングユニット５の幅方向両側の長手方向一端部で第１の部分８ａと第２の部分８ｂと第３の部分８ｃとに分断されている。第２の部分８ｂと第３の部分８ｃとはそれぞれコ字状になっている。それによって、スプリングユニット５は枠線８が分断された箇所で折り曲げ可能になっている。
【００１９】
なお、上記ヘリカル線７はスプリングユニット５の長手方向に沿って設けるようにしてもよい。また枠線８の第１の部分８ａと第２、第３の部分とに分断された箇所は軟質な合成樹脂やゴムなどによって形成された部材、たとえばチューブ状の部材などによって連結するようにしてもよい。
【００２０】
上記スプリングユニット５の外周部には、上記枠線８の第１の部分８ａと対応する直線的な固定かん状部材１１と、頭部側の第２の部分８ｂに対応するコ字状の可動かん状部材１２ａと、脚部側の第３の部分８ｃに対応する可動かん状部材１２ｂとが後述する保持手段によって上記スプリングユニット５と一体的に設けられている。
【００２１】
上記固定かん状部材１１とコ字状の可動かん状部材１２ａと１２ｂはパイプ材によって形成されていて、これらの端部はそれぞれヒンジ機構１３によって回動可能かつ所定の回動角度で保持可能に連結されているとともに、ほぼコ字状の可動かん部材の脚部側の可動かん状部材１２ｂの長さ寸法は、頭部側の可動かん状部材１２ａの長さ寸法よりも大に設定してある。
【００２２】
ヒンジ機構１３によって連結された上記固定かん状部材１１とコ字状の可動かん状部材１２ａ、１２ｂとは、上記スプリングユニット５の平面形状よりもわずかに小さな矩形状をなしている。それによって、スプリングユニット５の外周部に設けられた固定かん状部１１と可動かん状部材１２ａと１２ｂとは、図２と図３に示すようにスプリングユニット５の周辺部に位置するコイルスプリング６のばね部の軸方向中途部、この実施の形態では下端部の螺旋状の巻き線６ａ間に入り込み、このスプリングユニト６に一体的に保持されている。
【００２３】
上記ヒンジ機構１３は図６に示すように一端が枢軸１６によって枢着された、取付け部としての第１のアーム１７と第２のアーム１８を有する。第１のアーム１７の他端は上記可動かん状部材１２ａ，１２ｂの端部に嵌入固定され、第２のアーム１８の端部は上記固定かん状部材１１の端部に嵌入固定されている。
【００２４】
上記第１のアーム１７の一端には歯１９が形成され、第２のアーム１８の一端には上記歯１９に係合するストッパ２１がピン２２によって枢支されている。このストッパ２１はばね２３によって上記歯１９に係合する方向に付勢されている。
【００２５】
上記枢軸１６にはカム板２４が回動可能に取り付けられている。このカム板２４の外周面には周方向に所定の角度で凹部２５と凸部２６とが形成されている。上記凸部２６の上記枢軸１６からの半径寸法は、上記歯１９の枢軸１６からの半径寸法よりも大きく形成されている。上記第１のアーム１７の一端には、上記歯１９に上記ストッパ２１が係合した状態において、上記凹部２５に位置する係合体２７が設けられている。
【００２６】
それによって、上記歯１９と上記ストッパ２１との係合によって第１のアーム１７を第２のアーム１８に対して所定の回動角度で保持することができる。上記第１のアーム１７を図６に矢印で示す方向に回動させ、この回動にカム板２４をその凹部２５の一端に当接する係合体２７によって連動させれば、このカム板２４の凸部２６に上記ストッパ２１が乗り上げて歯１９との係合が外れる。それによって、上記第１のアーム２７を矢印と逆方向に自由に回動させることができる。
【００２７】
上記第１のアーム１７と矢印と逆方向の回動は上記係合体２７が凹部２５の他端に当接してカム板を回動させ、上記ストッパ２１がカム板２４の凸部２６から外れて歯１９に係合するまで、すなわち第１のアーム１７が第２のアーム１８に対してほぼ水平な状態になるまで回動させることができる。
【００２８】
したがって、上記可動かん状部材１２ａ，１２ｂは、上記ヒンジ機構１３により、上記固定かん状部材１１に対して所定の角度で起立した状態で保持可能であるとともに、起立した状態から水平に倒伏させることができるようになっている。
【００２９】
図２と図５に示すように、上記スプリングユニット５の上下面の前面にはそれぞれフェルト３１が設けられている。各フェルト３１の周辺部は枠線８を巻き込むように折り曲げられ、その部分はクリップ３２によって上記枠線８に保持されている。
【００３０】
上記スプリングユニット５の下面に設けられたフェルト３１には保持手段を構成する保持布３３が設けられている。この保持布３３はスプリングユニット５の平面形状よりも十分に大きな矩形状に形成されていて、周辺部がスプリングユニット５の周辺部から外方へ延出されている。
【００３１】
上記保持布３３のスプリングユニット５の周辺部から延出された周辺部は、図２と図３に示すようにスプリングユニット５の周辺部に設けられた固定かん状部材１１と可動かん状部材１２ａ，１２ｂとにこれらの内周側から外周側に向かって巻かれ、スプリングユニット５の下面の周辺部に戻されている。
【００３２】
図５に示すように。上記保持布３３の各かん状部材１１，１２ａ，１２ｂの内周側に向かう部分は第１のクリップ３４によって上記フェルト３１のは端部とともに下側の枠線８に連結固定され、内周側から外周側に折り曲げられた部分は第２のクリップ３５によって内周側の部分とともに上記枠線８に連結固定されている。それによって、固定かん状部材１１と可動かん状部材１２ａ，１２ｂとは、上記保持布３３の周辺部によってスプリングユニット５に一体的に保持されている。
【００３３】
固定かん状部材１１と可動かん状部材１２ａ，１２ｂとがスプリングユニット５に一体的に保持されていることで、可動かん部１２ａ，１２ｂを固定かん部１１に対して所定の角度で回動させれば、その回動にスプリングユニット５の可動かん状部材１２ａ，１２ｂに対応する部分を固定かん状部材１１に対応する部分に対して所定の角度で屈曲させるこちができる。しかも、保持布３３の周辺部が各かん状部材１１，１２ａ，１２ｂに巻回されていることで、各かん状部材１１，１２ａ，１２ｂとコイルスプリング６とがぶつかり合って金属音が発生するのが防止されている。
【００３４】
さらに、固定かん状部材１１と可動かん状部材１２ａ、１２ｂとは、スプリングユニット５の四方を囲むほぼ矩形状となっている。そのため、スプリングユニット５は固定かん状部材１１と可動かん状部材１２ａ，１２ｂとによって幅方向に捩れるのが防止される。とくに、可動かん状部材１２ａ，１２ｂを上昇させてスプリングユニット５の一端部を上方へ屈曲させた場合、スプリングユニット５の屈曲された部分は幅方向に捩れ易くなるが、上記可動かん状部材によって確実に防止することができる。
【００３５】
なお、固定かん状部材１１と可動かん状部材１２ａ，１２ｂとはスプリングユニット５の周辺部に位置するコイルスプリング６の巻き線６ａ間に係合している。そのため、保持布３３を用いなくても、これらかん状部材１１，１２ａ，１２ｂはスプリングユニット５に一体的に係合保持されるから、スプリングユニット５の可動かん状部材１２ａ，１２ｂに対応する頭側の一端部と脚側の他端部を、可動かん状部材１２ａ，１２ｂの回動に連動させて折り曲げることは可能である。
【００３６】
上記スプリングユニット５の上面のフェルト３１と、下面の保持布３３にはそれぞれウレタンフォームなどによって形成された弾性シート３６が積層されている。この積層体は外装地３７によって被覆されている。
【００３７】
上記外装地３７は、図２に示すように上記スプリングユニット５の上面を被覆した上部鏡地３８と、下面を被覆した下部鏡地３９及び外周面を被覆したまち地４０とからなる。各鏡地３８，３９およびまち地４０は表地と裏地との間に弾性シートを挟んだ３層構造となっていて、まち地４０の上下端に各鏡地３８，３９の周辺部がテープエッジ４１によって一体的に縫合されている。
【００３８】
各鏡地３８，３９の裏地の周辺部には帯状のフランジ布４２の幅方向一端が縫合されている。このフランジ布４２は上記弾性シート３６の周辺部を巻き込んで幅方向の他端をスプリングユニット５の周辺部に位置するコイルスプリング６の巻き線６ａにクリップ４３によって連結している。それによって、外装地３７がスプリングユニット５に対してずれ動くのが防止されている。
【００３９】
上記マットレス装置によれば、スプリングユニット５の外周部に、スプリングユニット５の外周部に、固定かん状部材１１と可動かん状部材１２ａ，１２ｂとを、コイルスプリング５の外周部に、固定かん状部材１２ａ，１２ｂとを、コイルスプリング５の巻き線６ａ間に係合させて設け、これらのかん状部材１１，１２を保持布３３によって上記スプリングユニット５を一体的に保持するようにした。上記固定かん状部材１１と可動かん状部材１２ａ，１２ｂとはヒンジ機構１３によって回動可能かつ所定の回動角度で保持可能に連結されている。
【００４０】
そのため、上記可動かん状部材１２ａ，１２ｂを固定かん状部材１１に対して図４（ｃ）に実線で示す状態から鎖線で示すように上昇方向に回動させて所定の角度で保持すれば、この可動かん状部材１２ａ，１２ｂの回動にスプリングユニット５の上記可動かん状部材１２ａ，１２ｂに対応する頭部側一端部と脚部側他端部を鎖線で示すように連動させ屈曲させることができる。
【００４１】
図１に示すように、、スプリングユニット５の頭部側の一端部を可動かん状部材１２ａによって屈曲させ、脚部側の他端部を可動かん部材１２ｂによって屈曲させ、マットレス装置１の一端部１ａと他端部１ｂを所定の角度で上昇させて保持することができる。また、上方に屈曲される可動かん状部材１２の頭部側の一端部と脚部側の他端部とは異なる長さ寸法に設定されており、脚部側の他端部の長さ寸法Ｌ１は頭部側の一端部の長さ寸法Ｌ２よりも大であるようにしたから、利用者の脚部を長い寸法で持ち上げることができるので脚部を楽に保持することができる。
【００４２】
それによって、マットレス装置１の上面に仰臥した利用者は頭部を姿勢を楽に維持することができるから、仰臥した状態で読書したりテレビを見ることができ、また脚部をあげたときは脚の疲れを緩和することに寄与する。
【００４３】
利用者がマットレス装置上で枕を用いて横臥する場合、このマットレス装置の一端部１ａを上昇させれば、その角度によって頭部が脊柱に対して曲がることがない姿勢をとることができるから首に負担をかけることなく横臥の姿勢を楽に維持するこちができる。
【００４４】
このように、マットレス装置１の頭部側の一端部１ａ及び脚部側の他端部１ｂを、可動かん状部材１２ａ，１２ｂによって所定の角度で上昇させて保持することができるようにした。そのため、マットレス装置の頭部側の一端部１ａまたは脚部側の他端部１ｂを上昇させるために、ベッド２の床板３を起伏用の駆動機構によって起伏させる場合に比べ、簡単で、安価な構成とすることができる。
【００４５】
また、マットレス装置１は、スプリングユニット５が外装地３７で被覆されており、しかもスプリングユニット５の一端部または他端部を屈曲させるための固定かん状部材１１、可動かん状部材１２ａ，１２ｂ或いはヒンジ機構が外観的に全く見えない。しかも各かん状部材１１，１２ａ，１２ｂはスプリングユニット５の周辺部に位置するコイルスプリング６の巻き線６ａ間に挿入されているから、マットレス装置１の周辺部から外部に突出することがない。
【００４６】
そのため、このマットレス装置１は、一端部が折り曲げることができるようになっているにも係らず、外観的には通常のマットレス装置となんら変わることがないから、極めて体裁がよいばかりか、上下面のどちらの面を上にしてでも使用することができる。
【００４７】
以上のようにこの発明によれば、可動かん状部材を所定の角度で起立させれば、この可動かん状部材によってクッション体の頭部及び脚部が載置された部分を屈曲させることができるから、それによって利用者の頭部、脚部を持ち上げて保持することができる。すなわち、従来のようにベッドの床板を起伏駆動機構を用いて起伏させなくても、マットレス装置の頭部側の一端部、脚部側の他端部を起伏させることができるため、コスト的に有利である。
【図面の簡単な説明】
【００４８】
【図１】この発明のマットレス装置が用いられたベッドの斜視図である。
【図２】マットレス装置の一部分を示す断面図。
【図３】固定かん状部材と可動かん状部材とをスプリングユニットに保持する手段を拡大した断面図。
【図４】（ａ）はスプリングユニットの概略的構成を示す斜視図、（ｂ）はスプリングユニットの側面図、（ｃ）スプリングユニットの正面図。
【図５】固定かん状部材と可動かん状部材とをスプリングユニットに保持する構造を一部破断して示す斜視図。
【図６】ヒンジ機構の一部断面した側面図。
【符号の説明】
【００４９】
１：マットレス装置、１ａ：頭部側の一端部、１ｂ：脚部側の他端部、２：ベッド、３：床板、４：ヘッドボード、
５：スプリングユニット、６：コイルスプリング、６ａ：巻き線、７：ヘリカル線、８：枠線、１１：固定かん状部材、
１２：可動かん状部材、１３：ヒンジ機構、１６：枢軸、１７：第１のアーム、１８：第２のアーム、１９：歯、
２１：ストッパ、２２：ピン、２３：ばね、２４：カム板、２５：凹部、２６：凸部、２７：係合体、３１：フエルト、３２：クリップ、３３：保持布、３４：第１のクリップ、３５：第２のクリップ、３６：弾性シート、３７：外装地、３８：上面鏡地，３９：下面鏡地，４０：まち地、４１：テープエッジ、４２：フランジ布、４３：クリップ
【図１】
2005168688.tif 000003
【図２】
2005168688.tif 000004
【図３】
2005168688.tif 000005
【図４】
2005168688.tif 000006
【図５】
2005168688.tif 000007
【図６】
2005168688.tif 000008